【誤訳訂正書】
【提出日】平成23年6月30日(2011.6.30)
【誤訳訂正１】
【訂正対象書類名】特許請求の範囲
【訂正対象項目名】全文
【訂正方法】変更
【訂正の内容】
【特許請求の範囲】
【請求項１】
無線通信環境のためのシステム容量を増大させる方法であって、
システム容量が超過されているのかどうかを評価することと、ここで、前記システム容量は、Ｎチップ長の固有のウォルッシュ符号をもった利用者の最大数Ｎである、
システム容量が超過されたときに、システム要件を満足させるのに十分な複数のウォルッシュ符号クラスタの数を規定することと、
空間情報に基づいて、複製された１セットの直交ウォルッシュ符号シーケンスを有する前記複数のウォルッシュ符号クラスタの１つに固有のスクランブリング符号を割り当てることと、
ウォルッシュ符号シーケンスを利用者装置に割り当てることと、
を備える方法。
【請求項２】
第一の利用者装置の空間識別子が第二の利用者装置の空間識別子の所定閾値範囲内にあるのかどうかを決定すること、をさらに備える請求項１に記載の方法。
【請求項３】
同一のウォルッシュ符号が割り当てられるとき、前記所定閾値範囲は、前記第一および第二の利用者装置が互いに干渉する範囲内の距離に少なくとも部分的に基づいている、請求項２に記載の方法。
【請求項４】
第一および第二の利用者装置の空間識別子が所定閾値範囲外にあると決定すると、前記第一および第二の利用者装置を異なるウォルッシュ符号クラスタに割り当てること、をさらに備える請求項１に記載の方法。
【請求項５】
第一および第二の利用者装置の空間識別子が所定閾値範囲内にあると決定すると、前記第一および第二の利用者装置を同じウォルッシュ符号クラスタに割り当てること、をさらに備える請求項１に記載の方法。
【請求項６】
前記同じウォルッシュ符号クラスタ内の利用者装置には、直交ウォルッシュ符号シーケンスが割り当てられる、請求項５に記載の方法。
【請求項７】
複数のウォルッシュ符号クラスタは、直交ウォルッシュ符号の複製のセットを有するものとして規定される、請求項１に記載の方法。
【請求項８】
前記無線通信環境は、広帯域符号分割多元接続プロトコルを使用する、請求項１に記載の方法。
【請求項９】
少なくとも１つのウォルッシュ符号クラスタが１セットの直交ウォルッシュ符号シーケンスを備える、複数のウォルッシュ符号クラスタに関連する情報を保存するメモリと、
ａ）  システム容量が超過されているのかどうかを評価し、ここで、前記システム容量は、Ｎチップ長の固有のウォルッシュ符号をもった利用者の最大数Ｎである、
ｂ）システム容量が超過されたときに、システム要件を満足させるのに十分な複数のウォルッシュ符号クラスタの数を規定し、
ｃ）固有のスクランブリング符号を前記少なくとも１つのウォルッシュ符号クラスタに割り当て、複製されたウォルッシュ符号シーケンスを利用者装置に割り当てる、前記メモリに接続されたプロセッサと、
を備える、無線通信機器。
【請求項１０】
前記メモリは、ウォルッシュ符号クラスタと、各クラスタ内のウォルッシュ符号シーケンスと、ウォルッシュ符号シーケンスの利用者装置への割当てと、各クラスタに割り当てられるスクランブリング符号と、に関連する情報を備えているルックアップテーブル、を保存する、請求項９に記載の機器。
【請求項１１】
前記プロセッサは、前記セクタ内の利用者装置に関連する空間識別子を評価し、前記利用者装置の前記空間識別子に少なくとも部分的に基づいて前記利用者装置をサブセットにグループ化する、請求項１０に記載の機器。
【請求項１２】
前記プロセッサは、前記セクタ内の利用者装置のサブセットを符号クラスタに割り当てる、請求項１１に記載の機器。
【請求項１３】
前記プロセッサはさらに、前記同じクラスタ内の利用者装置間の干渉を緩和するために、サブセット内の前記利用者装置のそれぞれを、前記クラスタ内の異なる直交ウォルッシュ符号シーケンスに割り当てる、請求項１２に記載の機器。
【請求項１４】
前記プロセッサは、クラスタ間で区別するために、固有のスクランブリング符号を各クラスタに割り当てる、請求項１０に記載の機器。
【請求項１５】
前記スクランブリング符号は擬似ノイズ符号である、請求項１４に記載の機器。
【請求項１６】
前記無線通信機器は、広帯域符号分割多元接続プロトコルに応じて通信を行う、請求項９に記載の機器。
【請求項１７】
前記無線通信機器は、時分割二重通信と周波数分割二重通信の少なくとも１つに応じて通信を行う、請求項９に記載の機器。
【請求項１８】
無線通信環境のセクタにおけるシステム容量を増大させる機器であって、
システム容量が超過されているのかどうかを評価する手段と、ここで、前記システム容量は、Ｎチップ長の固有のウォルッシュ符号をもった利用者の最大数Ｎである、
システム容量が超過されたときに、システム要件を満足させるのに十分な複数のウォルッシュ符号クラスタの数を規定する手段と、
完全な１セットの直交ウォルッシュシーケンスを有する複数のウォルッシュ符号クラスタを生成する手段と；
固有のスクランブリング符号を前記複数のウォルッシュ符号クラスタの各々に割り当てる手段と；
利用者装置サブセットを前記複数のウォルッシュ符号クラスタに割り当てる手段と、なお、各利用者装置には前記複数のウォルッシュ符号クラスタ内の少なくとも１つの複製された直交ウォルッシュシーケンスが割り当てられる；
を備える機器。
【請求項１９】
前記セクタ内の１セットの利用者装置に対する空間識別子を評価し、それぞれの空間識別子に少なくとも部分的に基づいて前記利用者装置をサブセットにグループ化する手段、をさらに備える請求項１８に記載の機器。
【請求項２０】
すべての利用者装置に少なくとも１つの直交ウォルッシュシーケンスが割り当てられるように、前記セクタにおけるシステム要求に応じて前記のウォルッシュ符号クラスタの数をスケール変更する手段、をさらに備える請求項１９に記載の機器。
【請求項２１】
前記無線通信環境は、広帯域符号分割多元接続プロトコルを使用する、請求項１９に記載の機器。
【請求項２２】
前記無線通信環境は、時分割二重と周波数分割二重の少なくとも１つである、請求項２１に記載の機器。
【請求項２３】
システム容量が超過されているのかどうかを評価することと、ここで、前記システム容量は、Ｎチップ長の固有のウォルッシュ符号をもった利用者の最大数Ｎである、
システム容量が超過されたときに、システム要件を満足させるのに十分な複数のウォルッシュ符号クラスタの数を規定することと、
それぞれが完全な１セットの直交ウォルッシュシーケンスを有する複数のウォルッシュ符号クラスタを生成することと;
一意的に前記複数のウォルッシュ符号クラスタの各クラスタを識別するために、固有のスクランブリング符号を前記複数のウォルッシュ符号クラスタの各々に割り当てることと；
利用者装置サブセットを前記複数のウォルッシュ符号クラスタに割り当てることと、なお、各利用者装置には前記複数のウォルッシュ符号クラスタ内の少なくとも１つの複製された直交ウォルッシュシーケンスが割り当てられる；
のための、コンピュータ実行可能な命令を記憶したコンピュータ可読媒体。
【請求項２４】
各利用者装置に関連する空間識別子に少なくとも部分的に基づいて、前記セクタ内の利用者装置をサブセットにグループ化する命令、をさらに備える請求項２３に記載のコンピュータ可読媒体。
【請求項２５】
すべての利用者装置に少なくとも１つの直交ウォルッシュシーケンスが割り当てられるように、前記セクタにおけるシステム要求に応じて前記のウォルッシュ符号クラスタの数をスケール変更する手段、をさらに備える請求項２４に記載のコンピュータ可読媒体。
【請求項２６】
広帯域符号分割多元接続無線通信環境におけるシステム容量を増大させるための命令を実行するプロセッサであって、
前記命令は、
システム容量が超過されているのかどうかを評価することと、ここで、前記システム容量は、Ｎチップ長の固有のウォルッシュ符号をもった利用者の最大数Ｎである、
システム容量が超過されたときに、システム要件を満足させるのに十分な複数のウォルッシュ符号クラスタの数を規定することと、
それぞれが完全な１セットの直交ウォルッシュシーケンスを有する複数のウォルッシュ符号クラスタを生成することと；
利用者装置サブセットを前記複数のウォルッシュ符号クラスタに割り当てることと、なお、各利用者装置には前記複数のウォルッシュ符号クラスタ内の少なくとも１つの複製された直交ウォルッシュシーケンスが割り当てられ、サブセットは前記利用者装置の空間識別子に少なくとも部分的に基づいて生成される；
前記複数のウォルッシュ符号クラスタの各々間で識別するために、固有のスクランブリング符号を前記複数のウォルッシュ符号クラスタの各々に割り当てることと；
を備える、
プロセッサ。
【請求項２７】
無線ネットワーク上で通信することを容易にする移動装置であって、
システム容量が超過されているのかどうかを評価するコンポーネントと、ここで、前記システム容量は、Ｎチップ長の固有のウォルッシュ符号をもった利用者の最大数Ｎである、
システム容量が超過されたときに、システム要件を満足させるのに十分な複数のウォルッシュ符号クラスタの数を規定するコンポーネントと、
前記複数のウォルッシュ符号クラスタ内の１つに複製されたウォルッシュ符号シーケンスの割当てを受信するコンポーネントと、
着信信号における前記ウォルッシュ符号シーケンスが前記移動装置に割り当てられているのかどうかを認識するコンポーネントと、
前記複数のウォルッシュ符号クラスタの１つに関連する予期されたスクランブリング符号が前記着信信号中に存在するのかどうかを認識するコンポーネントと、
を備え、
前記割当てウォルッシュ符号シーケンスと前記予期されたスクランブリング符号の両方を示さない着信信号を、擬似ノイズとして無視する、
移動装置。
【請求項２８】
前記装置は、携帯電話機、スマートフォン、携帯通信端末、携帯計算機、衛星ラジオ、全地球測位システム、ノートパソコン、ＰＤＡの内の少なくとも１つである、請求項２７に記載の移動装置。
【請求項２９】
無線通信環境におけるシステム容量を増大させる方法であって、
システム容量が超過されているのかどうかを評価することと、ここで、前記システム容量は、Ｎチップ長の固有のウォルッシュ符号をもった利用者の最大数Ｎである、
システム容量が超過されたときに、システム要件を満足させるのに十分な複数のウォルッシュ符号クラスタの数を規定することと、
類似の空間識別子を有する利用者装置を、同じ複数のウォルッシュ符号クラスタに割り当てることと、
十分に異なる空間識別子を有する利用者装置を、異なるウォルッシュ符号クラスタに割り当てることと、
を備える方法。
【請求項３０】
前記複数のウォルッシュ符号クラスタの各々間で区別するために、固有のスクランブリング符号を前記複数のウォルッシュ符号クラスタの各々に割り当てること、をさらに備える請求項２９に記載の方法。
【請求項３１】
利用者装置の間で空間境界を線引きするために所定の空間閾値範囲を規定すること、をさらに備える請求項２９に記載の方法。
【請求項３２】
利用者装置を、それらの空間識別子が互いの前記所定の空間閾値範囲内にあるとき、前記同じ符号クラスタに割り当てること、をさらに備える請求項３１に記載の方法。
【請求項３３】
利用者装置を、それらの空間識別子が互いの前記所定の空間閾値範囲に属さないとき、異なる符号クラスタに割り当てること、をさらに備える請求項３１に記載の方法。
【請求項３４】
異なる符号クラスタに割り当てられた利用者装置に、異なる符号クラスタにおける同一のウォルッシュ符号シーケンスの割り当てを許可すること、をさらに備える請求項３３に記載の方法。
【誤訳訂正２】
【訂正対象書類名】明細書
【訂正対象項目名】００１０
【訂正方法】変更
【訂正の内容】
【００１０】
関連する態様によれば、無線通信環境におけるシステム容量を増大させる方法は、１セットの直交ウォルッシュ符号シーケンス(a set of orthogonal Walsh code sequences)を有するウォルッシュ符号クラスタ(Walsh code cluster)に固有のスクランブリング符号を割り当てることと、ウォルッシュ符号シーケンスを利用者装置(user device)に割り当てることと、を含むことができる。さらに、この方法は、セクタ内の利用者装置の空間識別子（spatial signature）を評価することと、第一の利用者装置の空間信号（spatial signal）が第二の利用者装置の空間識別子の所定の閾値範囲内にあるのかどうかを決定することとを含んでもよい。さらに、この方法は、第一および第二の利用者装置の空間識別子が所定の閾値範囲から外れていると決定すると(upon determination)、第一および第二の利用者装置を異なるウォルッシュ符号クラスタに割り当てることと、第一および第二の利用者装置の空間識別子が所定閾値範囲内にあると決定すると、第一および第二の利用者装置を同じウォルッシュ符号クラスタに割り当てることとを含んでもよい。  
【誤訳訂正３】
【訂正対象書類名】明細書
【訂正対象項目名】００１１
【訂正方法】変更
【訂正の内容】
【００１１】
別の態様によれば、無線通信機器は、１セットの直交ウォルッシュ符号シーケンス(a set of orthogonal Walsh code sequences)を備える少なくとも１つのウォルッシュ符号クラスタに関連する情報を保存するメモリと、少なくとも１つのウォルッシュ符号クラスタに固有のスクランブリング符号を割り当て、さらに、１つのウォルッシュ符号シーケンスを一利用者装置に割り当てるプロセッサと、を備えることができる。メモリは、ウォルッシュ符号クラスタと、各クラスタのウォルッシュ符号シーケンスと、利用者装置のウォルッシュ符号シーケンスへの割当てと、各クラスタに割り当てられる固有のスクランブリング符号とに関する情報を備えるルックアップテーブルを保存することが可能であり、プロセッサは、セクタ内の利用者装置に関連する空間識別子を評価し、また、利用者装置の空間識別子に少なくとも部分的に基づいて利用者装置をサブセット(subsets)にグループ化することが可能である。プロセッサは、そのとき、セクタ内の利用者装置のサブセットを符号クラスタに割り当てることができ、また、同じクラスタ内の利用者装置間の干渉を緩和できるように、サブセットの利用者装置のそれぞれをクラスタの異なる直交ウォルッシュ符号シーケンスに割り当てることができる。  
【誤訳訂正４】
【訂正対象書類名】明細書
【訂正対象項目名】００１２
【訂正方法】変更
【訂正の内容】
【００１２】
さらに別の態様によれば、無線通信環境のセクタのシステム容量を増大させる機器は、完全な１セットの直交ウォルッシュシーケンス(a complete set of orthogonal Walsh sequences)を有する複数のウォルッシュ符号クラスタを生成する手段と、各ウォルッシュ符号クラスタに固有のスクランブリング符号を割り当てる手段と、利用者装置サブセットをウォルッシュ符号クラスタに割り当てる手段と、を含み、ここでは、各利用者装置には、該ウォルッシュ符号クラスタ内の少なくとも１つの直交ウォルッシュシーケンスが割り当てられる。さらに、この機器は、セクタ内の利用者装置の空間識別子を評価する手段と、少なくとも部分的にそれらの空間識別子に基づいて装置をサブセットにグループ化する手段、とを含んでもよい。  
【誤訳訂正５】
【訂正対象書類名】明細書
【訂正対象項目名】００１３
【訂正方法】変更
【訂正の内容】
【００１３】
さらに別の態様は、コンピュータ可読媒体に関し、コンピュータ可読媒体は、完全な１セットの直交ウォルッシュシーケンスを有する複数のウォルッシュ符号クラスタ(multiple Walsh code clusters)を生成すること、各クラスタを一意的に識別するために固有のスクランブリング符号を各ウォルッシュ符号クラスタに割り当てること、および利用者装置サブセットをウォルッシュ符号クラスタに割り当てること、のためのコンピュータ実行可能な命令(computer-executable instructions)を保存しており、ここでは、各利用者装置には、ウォルッシュ符号クラスタ内の少なくとも１つの直交ウォルッシュシーケンスが割り当てられる。さらに、媒体は、セクタ内の１セットの利用者装置に対する空間識別子を評価する命令と、少なくとも部分的にそれの空間識別子の類似性に基づいて利用者装置をサブセットにグループ化する命令とを含んでもよい。  
【誤訳訂正６】
【訂正対象書類名】明細書
【訂正対象項目名】００１４
【訂正方法】変更
【訂正の内容】
【００１４】
さらに別の態様は、広帯域符号分割多元接続無線通信環境においてシステム容量を増大させる命令(instructions)を実行するプロセッサに関し、命令は、それぞれが完全な１セットの直交ウォルッシュシーケンスを有する複数のウォルッシュ符号クラスタを生成することと、利用者装置サブセットをウォルッシュ符号クラスタに割り当てることと、ウォルッシュ符号クラスタ間で区別するために固有のスクランブリング符号を各ウォルッシュ符号クラスタに割り当てることと、を含み、ここでは、各利用者装置には、ウォルッシュ符号クラスタ内の少なくとも１つの直交ウォルッシュシーケンスが割り当てられ、また、サブセットは、利用者装置の空間識別子に少なくとも部分的に基づいて生成される。  
【誤訳訂正７】
【訂正対象書類名】明細書
【訂正対象項目名】００１６
【訂正方法】変更
【訂正の内容】
【００１６】
さらに別の態様は、無線通信環境におけるシステム容量を増大させる方法に関し、類似の空間識別子を有する利用者装置を同じのウォルッシュ符号クラスタに割り当てることと、十分に異なる空間識別子を有する利用者装置を異なるウォルッシュ符号クラスタに割り当てることとを含む。方法は、ウォルッシュ符号クラスタ間の識別を行うために、各ウォルッシュ符号クラスタに固有のスクランブリング符号を割り当てることをさらに含んでもよい。  
【誤訳訂正８】
【訂正対象書類名】明細書
【訂正対象項目名】００３０
【訂正方法】変更
【訂正の内容】
【００３０】
さらに、類似の空間識別子を有する利用者は同じクラスタ内に割り当てられるかもしれないし、一方、十分に隔たっている複数の利用者は複数クラスタにわたって割り当てられるかもしれない。例えば、類似の空間識別子を有する利用者は、それら利用者間の干渉を緩和できる十分に異なる符合が必ず割り当てられるように、直交ウォルッシュ符号の第一のクラスタに割り当てられる。一方、全く異種の空間識別子を有する利用者は、スクランブリング符号が異なる別のクラスタ内で、同一のウォルッシュ符号を割り当てられる場合があるが、それは、それら利用者の空間識別子が十分に特有なため、そのような利用者による通信は互いに干渉する可能性が低いと示唆できるからである。上記の技術は、システムを強制的に線形領域に押し込めること、および、受信アンテナ数に対するシステム容量の線形スケーラビリティ(linear scalability)を保持すること、を容易にする干渉を生成する(create)方法として理解されることができる。  
【誤訳訂正９】
【訂正対象書類名】明細書
【訂正対象項目名】００３５
【訂正方法】変更
【訂正の内容】
【００３５】
図５は、利用者装置と基地局の一方あるいは両方で生成でき、動的に更新でき、および／または保存できる、ルックアップテーブル６００を示す。このルックアップテーブルは、ウォルッシュ符号シーケンスクラスタや利用者装置割当て等に関する情報を備える。この図面では複数の符号クラスタ、Ｃ１乃至ＣＮが設けられている。Ｃ１乃至ＣＮのそれぞれは０乃至１５の数字が割り振られた１６の符号シーケンスを備える。この符号シーケンスは利用者装置に割り当てることが可能であり、この割当てによりこれらの利用者装置は基地局の受信アンテナと通信が可能になる。なお、この基地局において、各受信アンテナは１つのクラスタ専用に割り当てられている。利用者装置Ｕ１乃至Ｕ１６に関連する空間識別子に基づき、これらの装置は、クラスタＣ１の直交ウォルッシュシーケンスが割り当てられる。なお、図５の利用者装置の番号は、各利用者装置が個別であり、かつ、これらの利用者装置が類似の空間識別子に基づいて各クラスタのシーケンスに割り当てられていることを示すために割り振っている。即ち、類似の空間識別子（例えば、地理的位置）を有する利用者装置を同じクラスタに割り当て、そのように近接して位置する利用者装置が互いに干渉し合わないように、該利用者装置に割り当てられるウォルッシュ符号シーケンスが必ず直交であるようにすることが可能である。  
【誤訳訂正１０】
【訂正対象書類名】明細書
【訂正対象項目名】００３６
【訂正方法】変更
【訂正の内容】
【００３６】
また、Ｕ１８にはクラスタＣ２の一対のウォルッシュシーケンス、シーケンス１および２、が割り当てられていることにも留意が必要である。利用者装置が複数のウォルッシュシーケンスを用いてこのクラスタ用受信アンテナと通信する場合、かつ、Ｕ１８の空間識別子がクラスタＣ１のＵ２およびＵ３のものとともに、ＣＮのＵＭ＋１およびＵＭ＋２のものとも十分異なるときに、このような割当てを行うことができる。即ち、通信領域内内の利用者装置間の地理上の相対的差異により、これら利用者装置は、固有のスクランブルシーケンス等により識別される複製符号クラスタ等の、別の符号クラスタ内の同一のウォルッシュシーケンスの割り当てを受けることができる。  
【誤訳訂正１１】
【訂正対象書類名】明細書
【訂正対象項目名】００３７
【訂正方法】変更
【訂正の内容】
【００３７】
図６は、異なる空間識別子を有する複数の利用者を備える無線通信セクタ７００の説明図であり、空間識別子は、全利用者の集合(the set of all users)を空間的に個別のサブセットに分割するのに利用できる。このサブセットのそれぞれは、無線通信環境におけるシステム容量のスケーリングを容易にするように、１つの固有のウォルッシュ符号シーケンス集合(a unique set of Walsh code sequences)に割り当てられることができる。例えば、領域７００は、図２を参照して説明したように、複数の送受信アンテナ対を有する基地局（図示せず）により運用することが可能である。ＳＤＭＡ技術を用いて、領域７００内で通信を行う複数の利用者を複数の群に分割することが可能である（例えば、少なくとも部分的に空間識別子に基づく）。図に示すように、第一の群７０２は、領域７００内の全利用者のサブセットを構成し、そのサブセットの全利用者は類似の空間的特徴を有する。群７０２には、基地局の第一の受信アンテナにより受信されるべき信号の通信が容易になるように、１セットの直交ウォルッシュ符号(a set of orthogonal Walsh codes)を備える第一の符号クラスタが割り当てられる。なお、基地局では、該符号の直交性により、群７０２内の利用者が確実に群間干渉を受けないようになっている。また、ＷＣＤＭＡ−ＴＤＤ通信環境あるいはＷＣＤＭＡ−ＦＤＤ通信環境の逆方向リンクにおいて、システム容量のスケーリングが実施可能であることは、理解されるであろう。さらに、順方向リンクにおいて、送信アンテナの数でシステム容量のスケーリングを容易にするように、ビーム形成技術が用いられることができる。  
【誤訳訂正１２】
【訂正対象書類名】明細書
【訂正対象項目名】００４６
【訂正方法】変更
【訂正の内容】
【００４６】
このＷＣＤＭＡシステムにスケーラビリティを提供するために、割当てコンポーネント９４０は、１セットのウォルッシュ符号によりサポートされ得る利用者の数に応じて、利用者装置をサブセットにグループ化することが可能である。プロセッサ９２８は、セクタ内の１セットの利用者装置を評価する、少なくとも部分的に利用者装置空間識別子に基づいてセクタ内の利用者装置のサブセットを生成する、サブセットをウォルッシュ符号クラスタおよび／またはクラスタを介して伝送する通信モジュールに割り当てる、固有のスクランブリング符号を個々のクラスタに割り当てる、等を行うプロセッサであるが、割当てコンポーネント９４０は、このプロセッサ９２８と類似あるいは同一のプロセッサとできることは、理解されるであろう。例えば、セクタ内の全利用者を、少なくとも部分的にそれらの互いの地理的近接性に基づいて、１６以下を単位とするサブセットに分割することが可能であり、かつ、各サブセットを通信モジュールに割り当てることが可能である。各通信モジュールのウォルッシュ符号ジェネレータ９３２は、通信モジュールの割当てサブセット内の各利用者装置に対し、固有のウォルッシュ符号シーケンスを生成することが可能である。異なるクラスタに属し、同一のウォルッシュ符号シーケンス割当てを有する利用者装置間のあらゆる不要干渉を緩和するために、各通信モジュールのスクランブリング符号ジェネレータは、通信モジュールのアンテナから送出される全信号に固有のスクランブリング符号を付加することが可能である。このようにして、利用者装置９１０は、特定のスクランブリング符号を、割当てコンポーネント９４０により割り当てられたものであり、それに割り当てられた通信モジュール９０４と矛盾がないものとして認識でき、次いで、信号が一緒に伝送されたウォルッシュシーケンスが、利用者装置の割当てウォルッシュシーケンスと適合するのかどうかを判定できる。もし適合するなら、この利用者装置は復号および信号処理を開始することができる。もし適合しないなら、その信号は利用者装置に対する擬似ノイズとして現れることになる。